(57)【特許請求の範囲】
【請求項１】
被写体を撮像して画像データを出力する撮像装置と、
該撮像装置から出力される画像データに基づき画像を表示する表示装置と、
前記被写体を照明する照明装置と、
前記撮像装置、前記表示装置および前記照明装置の動作を使用者が選択入力できる操作釦と、
該操作釦の入力により前記撮像装置の動作および照明装置の点灯を制御する制御部と、
前記撮像装置の撮像動作を制御する制御プログラム、前記表示装置の表示制御プログラム、前記照明装置の点灯動作プログラム、前記操作釦の入力プログラムおよび前記各プログラムを関連動作あるいは包括するプログラムを記録する部位と、前記撮像装置から出力される前記被写体の画像データを一時的に記録する部位と、前記一時的に記録された被写体の画像データを不揮発性にて記録する部位とを有するメモリと
を備える撮像装置の制御方法であって、
前記被写体を照明装置により照明する必要が有るか否かを使用者が判断し、必要がある場合には前記操作釦の入力により前記照明装置を点灯させるステップと、
撮像装置が撮像した被写体の画像を前記表示装置にモニタ表示させるステップと、
前記表示装置にモニタ表示された画像をメモリに一時記録する必要が有るか否かを使用者が判断し、必要がある場合には前記操作釦の入力により前記撮像装置から出力される前記被写体の画像データをメモリに一時記録するステップと、
前記画像データの一時記録の終了後に、前記表示装置のモニタ表示を一時記録された画像データの表示に切り替えて表示させ、その切替時に前記照明装置が点灯されているか否かを判断し、点灯されている場合には消灯させるステップと、
前記一時記録された画像データを不揮発性にて記録する必要が有るか否かを使用者が判断し、必要がある場合には前記操作釦の入力により前記画像データを不揮発性のメモリに記録するステップと
を有することを特徴とする照明装置を用いる撮像機器の制御方法。
【請求項２】
前記撮像装置が撮像した被写体の画像を前記表示装置に表示させるステップの前に、
前記被写体を照明装置により照明する必要が有るか否かを使用者が判断し、必要がある場合には前記操作釦の入力により前記照明装置を点灯させるステップ
が実施されることを特徴とする請求項１に記載の照明装置を用いる撮像機器の制御方法。
【請求項３】
前記撮像装置が撮像した被写体の画像を前記表示装置に表示させるステップの後に、
前記被写体を照明装置により照明する必要が有るか否かを使用者が判断し、必要がある場合には前記操作釦の入力により前記照明装置を点灯させるステップ
が実施されることを特徴とする請求項１に記載の照明装置を用いる撮像機器の制御方法。
【請求項４】
前記被写体を照明装置により照明する必要が有るか否かを使用者が判断し、必要がある場合には前記操作釦の入力により前記照明装置を点灯させるステップに代えて、
前記制御部により、前記撮像装置から入力する画像データの平均輝度を演算し、該平均輝度の値が予め設定された所定値よりも小さい場合、前記照明装置を点灯させるステップ
を有することを特徴とする請求項１〜３の何れかに記載の照明装置を用いる撮像機器の制御方法。
【請求項５】
前記被写体の照度値を検出する照度センサを備え、前記メモリには前記各プログラムに加えて前記照度センサの検出動作プログラムを備える撮像機器の場合、
前記被写体を照明装置により照明する必要が有るか否かを使用者が判断し、必要がある場合には前記操作釦の入力により前記照明装置を点灯させるステップに代えて、
前記制御部により、前記照度センサから出力される照度値に基づき、該照度値が予め設定された所定値よりも小さい場合、前記照明装置を点灯させるステップを有することを特徴とする請求項１〜３の何れかに記載の照明装置を用いる撮像機器の制御方法。
【請求項６】
前記照明装置の点灯動作プログラムが照明装置を点灯させる照度を変更できる場合、
前記制御部により、前記照明装置を点灯させるステップでは、当初は低い照度で照明装置を点灯させ、
その後の前記操作釦の入力により前記撮像装置から出力される前記被写体の画像データをメモリに一時記録するステップでは、前記制御部により、前記照明装置を高い照度で点灯させる
ことを特徴とする請求項１〜４の何れかに記載の照明装置を用いる撮像機器の制御方法。
【請求項７】
前記照明装置の点灯動作プログラムが照明装置を点灯させる照度を変更できる場合、
前記制御部により、前記照度センサから出力される照度値に基づき、該照度値が予め設定された所定値よりも小さい場合、前記照明装置を点灯させるステップでは、当初は低い照度で照明装置を点灯させ、再度照度値を検出して前記照度値が予め設定された所定値を超えるか否かを検出し、
その後の前記操作釦の入力により前記撮像装置から出力される前記被写体の画像データをメモリに一時記録するステップでは、前記制御部により、前記照度値が予め設定された所定値を超えていない場合に、前記照明装置を高い照度で点灯させる
ことを特徴とする請求項５に記載の照明装置を用いる撮像機器の制御方法。
【請求項８】
前記照明装置の点灯時間を計時する点灯タイマを備え、前記メモリには前記点灯動作プログラム中に前記点灯タイマによる計時動作プログラムを備える撮像機器の場合、
前記被写体の画像データをメモリに一時記録するステップでは、前記制御部により、前記操作釦の入力から画像データのメモリへの一時記録が開始されるまでの間で、少なくとも人間の検知可能な期間以上の期間を前記点灯タイマで計時し、該期間中は前記照明装置を消灯する
ことを特徴とする請求項１〜６の何れかに記載の照明装置を用いる撮像機器の制御方法。
【請求項９】
前記照明装置の点灯時間を計時する点灯タイマを備え、前記メモリには前記点灯動作プログラム中に前記点灯タイマによる計時動作プログラムを備える撮像機器の場合、
前記被写体の画像データをメモリに一時記録するステップでは、前記制御部により、前記操作釦の入力から画像データのメモリへの一時記録が開始されるまでの間で、少なくとも人間の検知可能な期間以上の期間を前記点灯タイマで計時し、該期間中は前記照明装置を減光する
ことを特徴とする請求項６または７に記載の照明装置を用いる撮像機器の制御方法。
【請求項１０】
前記撮像装置が自動露出をオン／オフする機能を有する場合、
前記制御部により、前記照明装置を消灯する期間は、前記自動露出をオフする
ことを特徴とする請求項８に記載の照明装置を用いる撮像機器の制御方法。
【請求項１１】
前記撮像装置が自動露出をオン／オフする機能を有する場合、
前記制御部により、前記照明装置を減光する期間は、前記自動露出をオフする
ことを特徴とする請求項９に記載の照明装置を用いる撮像機器の制御方法。
【請求項１２】
前記撮像装置が所定の応答時間間隔で動作する自動露出の機能を有する場合、
前記制御部により、前記照明装置を消灯する期間が前記自動露出の応答時間間隔よりも短くなるように、前記点灯タイマが設定されることを特徴とする請求項８に記載の照明装置を用いる撮像機器の制御方法。
【請求項１３】
前記撮像装置が所定の応答時間間隔で動作する自動露出の機能を有する場合、
前記制御部により、前記照明装置を減光する期間が前記自動露出の応答時間間隔よりも短くなるように、前記点灯タイマが設定されることを特徴とする請求項９に記載の照明装置を用いる撮像機器の制御方法。
【請求項１４】
前記照明装置の点灯時間を計時する点灯タイマを備え、前記メモリには前記点灯動作プログラム中に前記点灯タイマによる計時動作プログラムを備える撮像機器の場合、
前記被写体の画像データをメモリに一時記録するステップでは、前記制御部により、前記画像データのメモリへの一時記録の終了から前記表示装置のモニタ表示を一時記録された画像データの表示に切り替えまでの間で、人間の検知可能な期間だけ前記点灯タイマで計時し、該期間中は前記照明装置を消灯する
ことを特徴とする請求項１〜５、８、１０、１２の何れかに記載の照明装置を用いる撮像機器の制御方法。
【請求項１５】
前記照明装置の点灯時間を計時する点灯タイマを備え、前記メモリには前記点灯動作プログラム中に前記点灯タイマによる計時動作プログラムを備える撮像機器の場合、
前記被写体の画像データをメモリに一時記録するステップでは、前記制御部により、前記画像データのメモリへの一時記録の終了から前記表示装置のモニタ表示を一時記録された画像データの表示に切り替えまでの間で、人間の検知可能な期間だけ前記点灯タイマで計時し、該期間中は前記照明装置を減光する
ことを特徴とする請求項６、７、９、１１、１３の何れかに記載の照明装置を用いる撮像機器の制御方法。
【請求項１６】
前記表示装置に前記一時記録された画像データが表示された後、前記表示装置をモニタ表示に再度切り替えて表示させる場合、
前記制御部により、前記照明装置を再度点灯させる
ことを特徴とする請求項１〜１５の何れかに記載の照明装置を用いる撮像機器の制御方法。
【請求項１７】
前記表示装置に前記一時記録された画像データが表示された後、前記表示装置をモニタ表示に再度切り替えて表示させる場合、
前記制御部により、前記表示装置にモニタ画面が表示されていた時の前記照明装置の点灯状態を検出し、検出された点灯状態で前記照明装置を点灯させる
ことを特徴とする請求項１〜１５の何れかに記載の照明装置を用いる撮像機器の制御方法。
【請求項１８】
前記モニタ表示された画像データをメモリに一時記録する時間を計時する一時記録タイマを備え、前記メモリには前記各プログラムに加えて前記一時記録タイマの計時動作プログラムを備える撮像機器の場合、
前記被写体の画像データをメモリに一時記録するステップでは、前記制御部により、前記画像データを一時記録する時間を前記一時記録タイマで計時し、該計時時間が予め設定された所定の撮像時間よりも大きいか否かを判断し、計時時間が予め設定された所定の撮像時間よりも大きい場合には、前記画像データの一時記憶を終了させ、前記照明装置を消灯する
ことを特徴とする請求項１〜１７の何れかに記載の照明装置を用いる撮像機器の制御方法。
【請求項１９】
前記モニタ表示された画像データをメモリに一時記録する時間を計時する一時記録タイマを備え、前記メモリには前記各プログラムに加えて前記一時記録タイマの計時動作プログラムを備える撮像機器の場合、
前記被写体の画像データをメモリに一時記録するステップでは、前記制御部により、前記画像データを一時記録する時間を前記一時記録タイマで計時し、該計時時間が予め設定された所定の撮像時間よりも大きいか否かを判断し、計時時間が予め設定された所定の撮像時間よりも大きい場合には、前記画像データの一時記憶を終了させる前に、前記照明装置を消灯する
ことを特徴とする請求項１〜１７の何れかに記載の照明装置を用いる撮像機器の制御方法。
【発明の詳細な説明】
【０００１】
【発明の属する技術分野】
本発明は、撮像装置により静止画像あるいは動画像を撮影するカメラを備えた撮像機器の制御方法に関し、特に、夜間等の照度の足りない場合に使用される照明装置を設けたカメラ付き携帯電話装置を含むモバイル情報機器等の制御方法に関するものである。
【０００２】
【従来の技術】
夜間等の照度の足りない場合に使用される従来の照明装置を設けたカメラ付きモバイル情報機器等の制御方法について、以下に、例えば、照明装置を設けたカメラ付き携帯電話装置の場合を説明する。
【０００３】
近年になり、静止画を撮影する静止画カメラの機能を携帯電話装置に備えさせたカメラ付き携帯電話装置が公知になっている。また、静止画カメラとしてだけでなく動画も撮影可能なビデオカメラを携帯電話装置に備えさせたカメラ付き携帯電話装置も発表されている。このようなカメラ付きの携帯電話装置が普及し、使用者数および使用頻度が増加するに伴い、暗い場所におけるカメラの使用回数が増加している。
【０００４】
暗い場所、すなわち、照度の低い被写体を鮮明に撮像可能なカメラは、大光量を取り込むために大きなレンズを使用したり、あるいは、高感度な撮像素子（通常はサイズが大きい）を使用する必要があるが、従来のカメラ付きの携帯電話装置におけるカメラ部分は、携帯電話装置に要求される筐体のサイズ及び重量が非常に限られている等の理由から非常に小型かつ薄型のものしか搭載できなかった。
【０００５】
そこで、カメラ付き携帯電話装置の使用者からは、暗い場所でも問題なく被写体を撮影できるように、従来のカメラと同様にストロボやフラッシュ等の照明装置を付加する要望がある。
【０００６】
図２６は、従来の照明装置としてストロボ装置を携帯機本体に設けたカメラ付き携帯電話装置の一部の展開図である。このような構造は、例えば、特開２００１−３２０６２２号公報に示されている。
【０００７】
図２６では、メイン基板５７上に撮影レンズを含む電子カメラ５２が配置されており、電磁シールド５６に囲まれた液晶ディスプレイ５１の上方に、ストロボ装置５３、５４が、電子カメラ５２と横一列に並設されている。
【０００８】
ストロボ装置５３、５４は、反射傘５４の中にストロボ放電管５３が配設され、ストロボ放電管５３および液晶ディスプレイ５１の前方には、透明な板材のプロテクタ５５が配置される。また、プロテクタ５５におけるストロボ放電管５３の前方部分には、配光用の模様（凹凸）が形成される場合もある。また、メイン基板５７の裏面には、ストロボ放電管５３に瞬間的に大電流を放電させることで発光させるための充電用にメインコンデンサ５７が配置されている。
【０００９】
【発明が解決しようとする課題】
上記した従来のカメラ付き携帯電話装置では、キセノン管５３、反射傘５４、メインコンデンサ５７などの携帯電話装置に使用するには比較的大きな部品を使用する必要があり、携帯機本体の小型化、薄型化が困難であるという問題があった。
【００１０】
また、最近のように携帯電話装置の電子カメラ５２が、静止画以外に動画も撮影できるようになってきたことにより、照明装置としては、常時点灯できる照明装置が要望されているが、今のところ、携帯電話装置のような小型で薄型の筐体に内蔵でき、携帯電話装置のバッテリーでも常時点灯可能な消費電力の少ない照明装置は発表されていないという問題点があった。
【００１１】
また、小型で消費電力が少なく常時点灯可能な照明装置の候補として、発光ダイオードを使用した照明装置が提案されている。この場合には、発光ダイオードを使用することにより小型化および薄型化が可能であり、連続発光できることにより動画に対応することはできるが、消費電力が従来よりもあまり小さくならないことが問題として残っている。
【００１２】
また、フラッシュ装置あるいはストロボ装置等の短時間発光装置では、光った時が撮影時であるので被使用者に撮影中であることを通知する必要はないが、例えば、ビデオカメラのように常時点灯できる照明装置の場合には、撮影時に被使用者に対して撮影中であることを知らせる必要がある。そのために、従来のビデオカメラ用ライトでは、撮影中のみ点灯する発光ダイオードなどの撮影状態表示部を照明装置とは別途に設けている。しかし、小型化および薄型化が要望される携帯電話装置のようなモバイル情報機器に、このような撮影状態表示部等の通知手段を照明装置とは別に設ける必要があることは、部品点数が増加し、筐体が大きくなることから設計上非常に不利になるという問題がある。
【００１３】
本発明は、上述した従来の課題を解消するためになされたものであって、暗い場所でも問題なく被写体を連続撮影できるように常時点灯が可能であり、部品点数も少なく小型かつ薄型の発光ダイオードを利用した照明装置を備えた撮像機器で、消費電力を少なくできる制御方法を提供することを目的とする。また、さらに上記した撮像機器で、部品を付加しないで被使用者に撮影状態を通知可能な制御方法を提供することを目的とする。
【００１４】
【課題を解決するための手段】
上述した目的を達成するため、本発明の請求項１に記載した照明装置を用いる撮像機器の制御方法では、被写体を撮像して画像データを出力する撮像装置と、該撮像装置から出力される画像データに基づき画像を表示する表示装置と、被写体を照明する照明装置と、撮像装置、表示装置および照明装置の動作を使用者が選択入力できる操作釦と、該操作釦の入力により撮像装置の動作および照明装置の点灯を制御する制御部と、撮像装置の撮像動作を制御する制御プログラム、表示装置の表示制御プログラム、照明装置の点灯動作プログラム、操作釦の入力プログラムおよび各プログラムを関連動作あるいは包括するプログラムを記録する部位と、撮像装置から出力される被写体の画像データを一時的に記録する部位と、一時的に記録された被写体の画像データを不揮発性にて記録する部位とを有するメモリとを備える撮像装置の制御方法であって、
【００１５】
被写体を照明装置により照明する必要が有るか否かを使用者が判断し、必要がある場合には操作釦の入力により照明装置を点灯させるステップと、撮像装置が撮像した被写体の画像を表示装置にモニタ表示させるステップと、表示装置にモニタ表示された画像をメモリに一時記録する必要が有るか否かを使用者が判断し、必要がある場合には操作釦の入力により撮像装置から出力される被写体の画像データをメモリに一時記録するステップと、画像データの一時記録の終了後に、表示装置のモニタ表示を一時記録された画像データの表示に切り替えて表示させ、その切替時に照明装置が点灯されているか否かを判断し、点灯されている場合には消灯させるステップと、一時記録された画像データを不揮発性にて記録する必要が有るか否かを使用者が判断し、必要がある場合には操作釦の入力により画像データを不揮発性のメモリに記録するステップとを有することを特徴とする。
【００１６】
また、請求項２の本発明は、請求項１に記載の照明装置を用いる撮像機器の制御方法において、撮像装置が撮像した被写体の画像を表示装置に表示させるステップの前に、被写体を照明装置により照明する必要が有るか否かを使用者が判断し、必要がある場合には操作釦の入力により照明装置を点灯させるステップが実施されることを特徴とする。
【００１７】
また、請求項３の本発明は、請求項１に記載の照明装置を用いる撮像機器の制御方法において、撮像装置が撮像した被写体の画像を表示装置に表示させるステップの後に、被写体を照明装置により照明する必要が有るか否かを使用者が判断し、必要がある場合には操作釦の入力により照明装置を点灯させるステップが実施されることを特徴とする。
【００１８】
また、請求項４の本発明は、請求項１〜３の何れかに記載の照明装置を用いる撮像機器の制御方法において、被写体を照明装置により照明する必要が有るか否かを使用者が判断し、必要がある場合には操作釦の入力により照明装置を点灯させるステップに代えて、制御部により、撮像装置から入力する画像データの平均輝度を演算し、該平均輝度の値が予め設定された所定値よりも小さい場合、照明装置を点灯させるステップを有することを特徴とする。
【００１９】
また、請求項５の本発明は、請求項１〜３の何れかに記載の照明装置を用いる撮像機器の制御方法において、被写体の照度値を検出する照度センサを備え、メモリには各プログラムに加えて照度センサの検出動作プログラムを備える撮像機器の場合、被写体を照明装置により照明する必要が有るか否かを使用者が判断し、必要がある場合には操作釦の入力により照明装置を点灯させるステップに代えて、制御部により、照度センサから出力される照度値に基づき、該照度値が予め設定された所定値よりも小さい場合、照明装置を点灯させるステップを有することを特徴とする。
【００２０】
また、請求項６の本発明は、請求項１〜４の何れかに記載の照明装置を用いる撮像機器の制御方法において、照明装置の点灯動作プログラムが照明装置を点灯させる照度を変更できる場合、制御部により、照明装置を点灯させるステップでは、当初は低い照度で照明装置を点灯させ、その後の操作釦の入力により撮像装置から出力される被写体の画像データをメモリに一時記録するステップでは、制御部により、照明装置を高い照度で点灯させることを特徴とする。
【００２１】
また、請求項７の本発明は、請求項５に記載の照明装置を用いる撮像機器の制御方法において、照明装置の点灯動作プログラムが照明装置を点灯させる照度を変更できる場合、制御部により、照度センサから出力される照度値に基づき、該照度値が予め設定された所定値よりも小さい場合、照明装置を点灯させるステップでは、当初は低い照度で照明装置を点灯させ、再度照度値を検出して照度値が予め設定された所定値を超えるか否かを検出し、その後の操作釦の入力により撮像装置から出力される被写体の画像データをメモリに一時記録するステップでは、制御部により、照度値が予め設定された所定値を超えていない場合に、照明装置を高い照度で点灯させることを特徴とする。
【００２２】
また、請求項８の本発明は、請求項１〜６の何れかに記載の照明装置を用いる撮像機器の制御方法において、照明装置の点灯時間を計時する点灯タイマを備え、メモリには点灯動作プログラム中に点灯タイマによる計時動作プログラムを備える撮像機器の場合、被写体の画像データをメモリに一時記録するステップでは、制御部により、操作釦の入力から画像データのメモリへの一時記録が開始されるまでの間で、少なくとも人間の検知可能な期間以上の期間を点灯タイマで計時し、該期間中は照明装置を消灯することを特徴とする。
【００２３】
また、請求項９の本発明は、請求項６または７に記載の照明装置を用いる撮像機器の制御方法において、照明装置の点灯時間を計時する点灯タイマを備え、メモリには点灯動作プログラム中に点灯タイマによる計時動作プログラムを備える撮像機器の場合、被写体の画像データをメモリに一時記録するステップでは、制御部により、操作釦の入力から画像データのメモリへの一時記録が開始されるまでの間で、少なくとも人間の検知可能な期間以上の期間を点灯タイマで計時し、該期間中は照明装置を減光することを特徴とする。
【００２４】
また、請求項１０の本発明は、請求項８に記載の照明装置を用いる撮像機器の制御方法において、撮像装置が自動露出をオン／オフする機能を有する場合、制御部により、照明装置を消灯する期間は、自動露出をオフすることを特徴とする。
【００２５】
また、請求項１１の本発明は、請求項９に記載の照明装置を用いる撮像機器の制御方法において、撮像装置が自動露出をオン／オフする機能を有する場合、制御部により、照明装置を減光する期間は、自動露出をオフすることを特徴とする。
【００２６】
また、請求項１２の本発明は、請求項８に記載の照明装置を用いる撮像機器の制御方法において、撮像装置が所定の応答時間間隔で動作する自動露出の機能を有する場合、制御部により、照明装置を消灯する期間が自動露出の応答時間間隔よりも短くなるように、点灯タイマが設定されることを特徴とする。
【００２７】
また、請求項１３の本発明は、請求項９に記載の照明装置を用いる撮像機器の制御方法において、撮像装置が所定の応答時間間隔で動作する自動露出の機能を有する場合、制御部により、照明装置を減光する期間が自動露出の応答時間間隔よりも短くなるように、点灯タイマが設定されることを特徴とする。
【００２８】
また、請求項１４の本発明は、請求項１〜５、８、１０、１２の何れかに記載の照明装置を用いる撮像機器の制御方法において、照明装置の点灯時間を計時する点灯タイマを備え、メモリには点灯動作プログラム中に点灯タイマによる計時動作プログラムを備える撮像機器の場合、被写体の画像データをメモリに一時記録するステップでは、制御部により、画像データのメモリへの一時記録の終了から表示装置のモニタ表示を一時記録された画像データの表示に切り替えまでの間で、人間の検知可能な期間だけ点灯タイマで計時し、該期間中は照明装置を消灯することを特徴とする。
【００２９】
また、請求項１５の本発明は、請求項６、７、９、１１、１３の何れかに記載の照明装置を用いる撮像機器の制御方法において、照明装置の点灯時間を計時する点灯タイマを備え、メモリには点灯動作プログラム中に点灯タイマによる計時動作プログラムを備える撮像機器の場合、被写体の画像データをメモリに一時記録するステップでは、制御部により、画像データのメモリへの一時記録の終了から表示装置のモニタ表示を一時記録された画像データの表示に切り替えまでの間で、人間の検知可能な期間だけ点灯タイマで計時し、該期間中は照明装置を減光することを特徴とする。
【００３０】
また、請求項１６の本発明は、請求項１〜１５の何れかに記載の照明装置を用いる撮像機器の制御方法において、表示装置に一時記録された画像データが表示された後、表示装置をモニタ表示に再度切り替えて表示させる場合、制御部により、照明装置を再度点灯させることを特徴とする。
【００３１】
また、請求項１７の本発明は、請求項１〜１５の何れかに記載の照明装置を用いる撮像機器の制御方法において、表示装置に一時記録された画像データが表示された後、表示装置をモニタ表示に再度切り替えて表示させる場合、制御部により、表示装置にモニタ画面が表示されていた時の照明装置の点灯状態を検出し、検出された点灯状態で照明装置を点灯させることを特徴とする。
【００３２】
また、請求項１８の本発明は、請求項１〜１７の何れかに記載の照明装置を用いる撮像機器の制御方法において、モニタ表示された画像データをメモリに一時記録する時間を計時する一時記録タイマを備え、メモリには各プログラムに加えて一時記録タイマの計時動作プログラムを備える撮像機器の場合、被写体の画像データをメモリに一時記録するステップでは、制御部により、画像データを一時記録する時間を一時記録タイマで計時し、該計時時間が予め設定された所定の撮像時間よりも大きいか否かを判断し、計時時間が予め設定された所定の撮像時間よりも大きい場合には、画像データの一時記憶を終了させ、照明装置を消灯することを特徴とする。
【００３３】
また、請求項１９の本発明は、請求項１〜１７の何れかに記載の照明装置を用いる撮像機器の制御方法において、モニタ表示された画像データをメモリに一時記録する時間を計時する一時記録タイマを備え、メモリには各プログラムに加えて一時記録タイマの計時動作プログラムを備える撮像機器の場合、被写体の画像データをメモリに一時記録するステップでは、制御部により、画像データを一時記録する時間を一時記録タイマで計時し、該計時時間が予め設定された所定の撮像時間よりも大きいか否かを判断し、計時時間が予め設定された所定の撮像時間よりも大きい場合には、画像データの一時記憶を終了させる前に、照明装置を消灯することを特徴とする。
【００３４】
【発明の実施の形態】
以下、本発明をその実施の形態を示す図面に基づいて具体的に説明する。なお、以下の実施の形態は、照明装置を設けたカメラ付き撮像機器としては最も普及している照明装置を設けたカメラ付き携帯電話装置の場合について、特に、夜間等の照度の足りない場合に照明装置使用して撮像する場合の制御方法を主に説明する。なお、カメラ付き携帯電話装置は、撮像機器でもあるが、中央演算素子（ＣＰＵ）等の制御手段やメモリ等の記憶手段を備えるモバイル情報機器でもある。
【００３５】
実施の形態１．
図１は、本発明の実施の形態１のカメラ付き携帯電話装置の外観形状を示す斜視図である。
【００３６】
同図において、１は携帯電話装置の全体を示し、２は液晶（ＬＣＤ）等を利用して後述する撮像装置６から出力される画像データに基づき画像を表示するの表示装置であり、３は音声を出力するスピーカであり、４は音声を入力するマイクであり、５は携帯電話装置１に対する使用者の動作指示を選択入力できる操作釦であり、６は被写体を撮像して画像データを出力する撮像装置であり、７は被写体を連続して照明するため発光ダイオード等を利用した照明装置であり、８は自分を撮影する場合に撮像装置の位置合わせを行うための鏡である。
【００３７】
図１の携帯電話装置１は、携帯時には筐体の長辺の略中央で２つに折り畳んで小さくできるタイプであり、音声通話をする際には、折り畳んだ部分を再度開いて使用者の耳と口に近づけることができる。図１の場合は、撮像装置６の撮影レンズ側および照明装置７の発光部が、携帯電話本体１を折り畳んだ状態で、その外部側に向かって露出するように構成されている。
【００３８】
携帯電話装置１の使用方法としては、例えば、携帯電話装置１の使用者が撮像装置６を用いて被写体を撮像する場合、使用者は、携帯電話装置１の折り畳んだ部分を開いてから、撮像装置６の撮影レンズ側（外部側）を撮像したい被写体に向けてから撮像する。この場合には、表示装置２が使用者側を向くので、被写体の画像を、表示装置２にモニタ表示させて、使用者がオンタイムで確認することができる。
【００３９】
しかし、例えば、自画像を撮像する場合には、撮像装置６の撮影レンズ側（外部側）を使用者自身に向けた場合、表示装置２が反対向きになり、使用者がモニタ画像を確認できなくなる。その場合には、使用者は鏡８により自画像の状態を確認し、撮影釦５を操作することにより撮像を行う。
【００４０】
また、夜等の周囲の照度が低い（暗い）環境下で自画像を撮像する場合には、使用者は、まず撮影釦５を操作して照明装置７を点灯させて被写体である。使用者自身の照明を開始してから、撮像装置６により照明された使用者の自画像を撮像する。また、上記のようにして撮像された画像は、従来のカメラ付き携帯電話装置と同様に、内蔵された記憶部に一旦記録された後、待ち受け画面、電子メールへの添付等に使用することができ、電子メール等の場合には、図示しない送信部により相手先の携帯電話装置等に送信される。
【００４１】
なお、図１に示したカメラ付き携帯電話装置１では、撮像装置６の上部に鏡８、下部に照明装置７を配置しているが、これらの配置は必ずしもこの配置に限るということではなく、例えば、照明装置７を撮像装置６の上部に、鏡８を下部に配置してもよい。もちろん、撮像装置６の左右のそれぞれに鏡８、照明装置７を配置することも可能であり、撮像装置６の周囲の一方の側に照明装置７と各務８を配列することも可能である。
【００４２】
図２は、図１の携帯電話装置１の一部の内部構成を示すブロック図である。
【００４３】
同図の携帯電話装置１において、１１は操作釦５の入力により撮像装置６の動作および照明装置７の点灯を制御する制御部、１２は各種プログラムおよび画像データ等の情報を記憶しておくメモリであり、以下、図１と同様に、２は表示装置、５は入力装置となる操作釦、６は撮像装置、７は照明装置である。
【００４４】
また、制御部１１の内部には、中央演算装置(Central  Processing  Unit)２１を有している。メモリ１２の内部には、各種プログラムが記録されるプログラム記憶部２２、撮像装置６から出力される被写体の画像データを一時的に記録する一時記憶部２３、一時記憶された被写体の画像データを後で待ち受け画面や電子メールへの添付等に使用するために不揮発性で記録する不揮発性記憶部２４を有している。
【００４５】
プログラム記憶部２２には、少なくとも撮像装置６の撮像動作を制御する制御プログラム、表示装置２の表示制御プログラム、照明装置７の点灯動作プログラム、操作釦５の入力プログラムおよび各プログラムを関連動作あるいは包括するプログラムを記録する。
【００４６】
図２の部分の動作としては、例えば、操作釦５から入力された使用者の選択指示が指示信号として制御部１１に入力される。すると、制御部１１は、メモリ１２のプログラム記憶部２２から必要なプログラムを読み出し、照明装置７、撮像装置６、あるいは、表示装置２等に必要な指示を出力する。
【００４７】
図３は、図２の制御部１１が携帯電話装置１の各部を制御するための指示信号を出力するタイミングを示すタイミングチャートである。
【００４８】
図３（ａ）は、例えば、操作釦５の中の撮影モードを選択する釦が押された場合の入力信号（撮影モード選択信号ａ１）である。図３（ｂ）は、表示装置２にモニタ画像を表示させるための出力信号（モニタ画像表示信号ｂ１）である。図３（ｃ）は、例えば、操作釦５の中の撮影開始を指示する釦が押された場合の入力信号（撮影開始指示信号ｃ１）である。図３（ｄ）は、撮像装置６により撮像された画像データがメモリ１２内の一時記憶部２３に一時的に記録されるための出力信号（画像一時記録信号ｄ１）である。図３（ｅ）は、一時記憶部２３に一時的に記録され画像データを使用者の確認用に表示装置２に表示させるための出力信号（一時記録画像表示信号ｅ１）である。図３（ｆ）は、例えば、操作釦５の中の照明装置７をオンさせる指示の釦が押された場合に照明装置７を連続点灯させるための出力信号（照明信号ｆ１）である。
【００４９】
図３の部分の動作としては、例えば、使用者により操作釦５の中の撮影モードを選択する釦が押されると、図３（ａ）の撮影モード選択信号ａ１が制御手段１１に入力される。これにより、メモリ１２内のプログラム記憶部２２から撮像に必要なプログラムが読み出され、撮像装置６および表示装置２等に対して動作準備（スタンバイ状態）が進められる。一般的には、撮影モードが選択されると、それを受けた制御部１１は、表示装置２に撮像装置６からの画像データをモニタ表示させて使用者に画像を確認させ、使用者からの撮影開始指示を待つ。
【００５０】
例えば、夜等の周囲の照度が不足する場合には、使用者により、操作釦５中の照明装置のオンを指示する釦が押される。すると、制御部１１は、照明装置７をオンさせる照明信号ｆ１を出力開始する。
【００５１】
使用者が、表示装置２に表示されたモニタ画像を一時記録を開始しようとして、例えば、使用者により操作釦５中の撮影開始を指示する釦が押されると、制御部１１は、撮影開始指示信号ｃ１をメモリ１２出力し、撮像装置６から入力する画像データをメモリ１２内の一時記憶部２３に画像一時記憶信号ｄ１として出力して記録させる。
【００５２】
使用者が、表示装置２に表示されたモニタ画像の一時記録を終了しようとして、操作釦５中の撮影終了を指示する釦が押されると、制御部１１は、不図示の撮影終了指示信号をメモリ１２出力し、撮像装置６から入力する画像データの出力（画像一時記憶信号ｄ１）を中止させる。また、画像の一時記録が終了した場合、制御部１１は、メモリ１２内の一時記憶部２３に記録された画像データを表示装置２に出力して、表示装置２の表示内容をモニタ表示から一時記憶された画像データの表示に切り替えて、使用者がその画像データを不揮発性で記録するか否かを確認できるように表示させる（一時記録画像表示信号ｅ１）。
【００５３】
表示装置２の表示内容をモニタ表示から一時記憶された画像データの表示に切り替わるタイミングで、制御部１１は、照明装置７をオンさせる照明信号ｆ１の出力を停止して、照明装置７をオフ（消光）させる。
【００５４】
図４は、図１〜３で示した携帯電話装置１の処理動作を示すフローチャートである。
【００５５】
ステップＳ１では撮影モードの選択指示が入力されたか否かの判断を行ない、撮影モードの選択指示が入力された場合（Ｓ１：ＹＥＳ）には、撮像装置６、表示装置２等に、例えば、スタンバイ指示を出力してカメラとしての機能を始めさせる。撮影モードの選択指示が入力されない場合（Ｓ１：ＮＯ）には、携帯電話装置１は再び待ち受け状態になり、ステップＳ１の判断を繰り返す。
【００５６】
ステップＳ２では使用者による照明が必要であるか否かが判断されるが、携帯電話装置としては、操作釦５中の照明装置７をオンさせるための指示入力の釦が押されたか否かが制御部１１で判断される。使用者が照明を必要とする場合、すなわち、照明装置７をオンさせるための指示入力の釦が押された場合（Ｓ２：ＹＥＳ）には、制御部１１から照明装置７に対して照明信号ｆ１が出力され始め、照明装置７が連続点灯（オン）される（Ｓ３）。使用者が照明を必要としない場合、すなわち、照明装置７をオンさせない指示入力の釦が押された場合（Ｓ２：ＮＯ）には、制御部１１から照明装置７に対して照明信号ｆ１が出力されず、照明装置７が点灯されずに次のステップＳ４に進む。
【００５７】
ステップＳ２の照明の要否の判断が終了すると、表示装置７には、制御部１１から画像データのモニタ画像表示信号ｂ１が出力され、モニタ画面が表示される（Ｓ４）。
【００５８】
このモニタ画像を見ながら、使用者により一時記録するか否かを判断されるが、携帯電話装置としては、操作釦５中の撮影モードを終了させるための指示入力の釦が押されたか否かが制御部１１で判断される（Ｓ５）。使用者が一時記録を必要としない場合、すなわち、撮影モードを終了させるための指示入力の釦が押された場合（Ｓ５：ＹＥＳ）には、制御部１１から次の撮影開始指示ｃ１を待たずに次のステップＳ２１に進み、使用者が一時記録を必要とする場合、すなわち、撮影モードを終了させるための指示入力の釦が押されない場合（Ｓ５：ＮＯ）には、制御部１１から次の撮影開始指示ｃ１を待つ次のステップＳ６に進む。
【００５９】
ステップＳ６では、使用者によりモニタ表示されている画像の一時記録を開始するか否か判断されるが、携帯電話装置としては、操作釦５中の撮影開始指示ｃ１を入力する釦が押されたか否かが制御部１１で判断される。使用者が一時記録を開始する場合、すなわち、撮影開始指示ｃ１を入力する釦が押された場合（Ｓ６：ＹＥＳ）には、制御部１１からメモリ１２の一時記憶部２３に対して画像一時記録信号ｄ１が出力され始め、一時記憶部２３に画像データが一時記録される（Ｓ７）。使用者が一時記録を開始しない場合、すなわち、撮影開始指示ｃ１を入力する釦が押されない場合（Ｓ６：ＮＯ）には、制御部１１からメモリ１２の一時記憶部２３に対して画像一時記録信号ｄ１が出力されず、再びステップＳ５の判断が繰り返される。
【００６０】
次のステップＳ８では、使用者によりモニタ表示されている画像の一時記録を終了するか否か判断されるが、携帯電話装置としては、操作釦５中の撮影終了指示を入力する釦が押されたか否かが制御部１１で判断される。使用者が一時記録を終了する場合、すなわち、撮影終了指示を入力する釦が押された場合（Ｓ８：ＹＥＳ）には、制御部１１からメモリ１２の一時記憶部２３に対する画像一時記録信号ｄ１の出力が終了することにより、一時記憶部２３への画像データの一時記録が終了する（Ｓ９）。使用者が一時記録を終了しない場合、すなわち、撮影終了指示を入力する釦が押されない場合（Ｓ８：ＮＯ）には、制御部１１からメモリ１２の一時記憶部２３に対して画像一時記録信号ｄ１が出力され続けるので、再びステップＳ８の判断が繰り返される。
【００６１】
撮影画像の画像データが一時記録が終了すると、照明装置が点灯中であるか否か、すなわち、照明信号ｆ１が照明装置７に出力中であるか否かが制御部１１により判断される（Ｓ１０）。照明装置が点灯中である場合（Ｓ１０：ＹＥＳ）には、制御部１１からの照明信号ｆ１の出力が停止され、照明装置７が消灯する（Ｓ１１）。照明装置が点灯中でない場合（Ｓ１０：ＮＯ）には、制御部１１は何もしないで次のステップＳ１２に進む。
【００６２】
照明点灯中の判断が終了すると、制御部１１は、一時記憶部２３に記録された画像データを今度は読み出して、撮像装置６から入力するモニタ画像用の画像データに代えて一時記憶部２３から読み出された画像データ（一時記録画像表示信号ｅ１）を表示装置７に送出して表示させる（Ｓ１２）。
【００６３】
次のステップＳ１３では、使用者により表示されている一時記録画像の再生画像を保存（不揮発性記憶）するか否か判断されるが、携帯電話装置としては、操作釦５中の保存指示を入力する釦が押されたか否かが制御部１１で判断される。使用者が一時記録の再生画像を保存する場合、すなわち、保存指示を入力する釦が押された場合（Ｓ１３：ＹＥＳ）には、制御部１１からメモリ１２の一時記憶部２３と不揮発性記憶部２４に対して、画像データの転送指示が出力されることにより、一時記憶部２３の画像データが不揮発性記憶部２４に保存される（Ｓ１４）。使用者が一時記録の再生画像を保存しない場合、すなわち、保存指示を入力する釦が押されない場合（Ｓ１３：ＮＯ）には、制御部１１は何もしないで次のステップＳ１５に進む。
【００６４】
次のステップＳ１５では、使用者により撮影を終了するか撮影を継続するかが判断されるが、携帯電話装置としては、ステップＳ５と同様に、操作釦５中の撮影モードを終了させるための指示入力の釦が押されたか否かが制御部１１で判断される（Ｓ１５）。使用者が撮影を終了させる場合、すなわち、撮影モードを終了させるための指示入力の釦が押された場合（Ｓ１５：ＹＥＳ）には、制御部１１は撮影モードを終了させ（Ｓ１６）。使用者が撮影を継続する場合、すなわち、撮影モードを終了させるための指示入力の釦が押されない場合（Ｓ１５：ＮＯ）には、制御部１１は、次の一時記録画像を判断するための前処理として、照明オン指示を判断するステップＳ２に戻る。
【００６５】
ステップＳ５で、使用者が一時記録を必要としない場合、すなわち、撮影モードを終了させるための指示入力の釦が押された場合（Ｓ５：ＹＥＳ）に進むステップＳ２１では、ステップＳ１０と同様に、照明装置が点灯中であるか否か、すなわち、照明信号ｆ１が照明装置７に出力中であるか否かが制御部１１により判断される。照明装置が点灯中である場合（Ｓ２１：ＹＥＳ）には、制御部１１からの照明信号ｆ１の出力が停止され、照明装置７が消灯する（Ｓ２２）。照明装置が点灯中でない場合（Ｓ２１：ＮＯ）には、制御部１１は何もしないで撮影モードを終了させる次のステップＳ１６に進む。
【００６６】
上記のように携帯電話装置１を制御した場合、照明装置７は、画像データの一時記録が終了して、表示装置２の表示内容がモニタ表示から一時記録された画像データの再生画像に切り替わる時に自動的に消灯されるので、不要な電力の消費を低減させることができる。
【００６７】
このように、本実施の形態では、暗い場所でも問題なく被写体を連続撮影できるように常時点灯が可能であり、部品点数も少なく小型かつ薄型の発光ダイオードを利用した照明装置を備えた撮像機器を利用して撮影する際に、照明が必要なくなり次第、自動的に照明を消灯させることができるので、操作性が向上して撮影環境を改善でき、照明装置を用いる撮像機器に対して消費電力が少ない制御方法を提供することができる。
【００６８】
実施の形態２．
図５は、本発明の実施の形態２のカメラ付き携帯電話装置の外観形状を示す斜視図である。
【００６９】
図５のカメラ付き携帯電話装置１ａが、図１に示した実施の形態１のカメラ付き携帯電話装置１と構造上で異なる点は、以下の各点である。
【００７０】
（１）  撮像装置６、照明装置７が、表示装置２と同じ側に配置されている点。
【００７１】
（２）  この場合、撮像装置６の位置合わせは表示装置２を見ながらできるため、鏡８が削除されている点。
【００７２】
その他の構成は、実施の形態１と同様である。
【００７３】
また、実施の形態１とは構造が異なる本実施の形態でも、動作については実施の形態１と同様に図４のフローチャートに従って実施される。
【００７４】
従って、本実施の形態においても、実施の形態１と同様に、暗い場所でも問題なく被写体を連続撮影できるように常時点灯が可能であり、部品点数も少なく小型かつ薄型の発光ダイオードを利用した照明装置を備えた撮像機器を利用して撮影する際に、照明が必要なくなり次第、自動的に照明を消灯させることができるので、操作性が向上して撮影環境を改善でき、照明装置を用いる撮像機器に対して消費電力が少ない制御方法を提供することができる。
【００７５】
実施の形態３．
図６は、本発明の実施の形態３のカメラ付き携帯電話装置の処理動作を示すフローチャートである。
【００７６】
なお、図６のカメラ付き携帯電話装置が、図１に示した実施の形態１のカメラ付き携帯電話装置１と構造上で異なる点は、次の点である。
【００７７】
（３）  メモリ１２中に、図示していないが、撮影モードにおける照明点灯時の照明状態を記憶する部位を有する点。
【００７８】
その他の構成では、図１に示した実施の形態１のカメラ付き携帯電話装置１と構造上で異なる点は図に示された範囲ではないが、メモリ１２のプログラム記憶部２２に記録されるプログラムの内容が異なる点が挙げられ、その他は実施の形態１と同様である。
【００７９】
また、実施の形態１のカメラ付き携帯電話装置１と動作上で異なる点は、以下の点である。
【００８０】
（４）  撮影モードを終了するか否かを判断するステップＳ１５で、撮影を終了せずにステップＳ２に戻る場合、メモリ１２から照明点灯時の照明状態を読み出し、撮影時に照明が点灯していたか否かを判断する（Ｓ３１）。撮影時に照明が点灯していた場合（Ｓ３１：ＹＥＳ）には、ステップＳ３に戻って照明を点灯させ、撮影時に照明が点灯していなかった場合（Ｓ３１：ＮＯ）には、ステップＳ４に戻って照明を点灯させないでモニタ画面を表示させる点。
【００８１】
その他の動作は、実施の形態１と同様である。
【００８２】
このように、本実施の形態では、撮像装置の撮影モードにおける照明点灯時の照明状態を記憶しておき、撮影モードを終了するか否かの判断で撮影を継続する場合には、記憶されていた照明状態に基づいて照明の必要性を判断するので、実施の形態１、２の効果に加えて、不要な照明時間を無くすことができ、消費電力の低減が可能になり、撮影モード継続時には照明の点灯および非点灯を自動的に判断して実施するため、使用者の操作性をさらに向上させることができる。
【００８３】
実施の形態４．
図７は、本発明の実施の形態４のカメラ付き携帯電話装置の処理動作を示すフローチャートである。
【００８４】
なお、図７のカメラ付き携帯電話装置が、図１に示した実施の形態１のカメラ付き携帯電話装置１と構造上で異なる点は、図に示された範囲ではないが、メモリ１２のプログラム記憶部２２に記録されるプログラムの内容が異なる。
【００８５】
従って、実施の形態１のカメラ付き携帯電話装置１とは動作上で異なり、その相違点は、以下の点である。
【００８６】
（５）  上記した実施の形態１では、表示装置２にモニタ画像を表示させる動作（Ｓ４）のタイミングが、照明装置７を点灯させるか否かの判断（Ｓ２）、および、点灯させる場合の点灯動作（Ｓ３）の後であったが、本実施の形態では、照明装置７を点灯させるか否かの判断（Ｓ４３）、および、点灯させる場合の点灯動作（Ｓ４４）の前に、表示装置２にモニタ画像を表示させる動作（Ｓ４２）を実施させる点。
【００８７】
その他の動作は、実施の形態１と同様である。
【００８８】
このように、本実施の形態では、ステップＳ１で撮影モードが選択された直後には、先にモニタ画像の表示を行ない、その表示内容を確認してから使用者が照明の必要性を判断できるので、使用者によるモニタ画像確認が実施されるまでの照明装置７の消費電力を低減でき、また、モニタ画像の照度が照明装置の点灯により明るくなるのみで表示されている内容は変わらないので、実施の形態１、２の効果に加えて、使用者によってモニタ画像が確認される時間も短縮させることができることから、モニタ画像確認中の照明装置７の消費電力についても低減させることができる。従って、不要な照明時間をさらに低減させることができ、さらなる消費電力の低減が可能になる。
【００８９】
実施の形態５．
図８は、本発明の実施の形態５のカメラ付き携帯電話装置の処理動作を示すフローチャートである。
【００９０】
なお、図８のカメラ付き携帯電話装置が、図１に示した実施の形態１のカメラ付き携帯電話装置１と構造上で異なる点は、実施の形態３と同様に、上記（３）に記載した点であり、また、後述するように処理動作が異なるので、メモリ１２のプログラム記憶部２２に記録されるプログラムの内容が異なる。
【００９１】
また、実施の形態１のカメラ付き携帯電話装置１とは動作上で異なり、その相違点は、以下の点である。
【００９２】
（６）実施の形態４に説明した点灯動作より先にモニタ画像を表示させた場合で、さらに実施の形態３に説明した撮影モードを終了するか否かの判断で撮影を継続させようとする場合には、実施の形態３と同様のステップに戻ると、戻った時にモニタ画像表示ができなくなってしまう。そこで、本実施の形態では、撮影モードを終了するか否かの判断で撮影を継続させる場合には、撮影時に照明画点灯されているか否かのステップＳ３１の結果にかかわらず、何れの判断後もモニタ画像を表示させるステップＳ６４およびＳ６５の処理動作を追加し、実施の形態３と同様に、記憶されていた照明状態に基づいて照明の必要性を判断できるようにした点。
【００９３】
その他の動作は、実施の形態１と同様である。
【００９４】
図８の各ステップに基づいて相違点を説明すると、まず、照明装置７を点灯させるか否かの判断（Ｓ５３）、および、点灯させる場合の点灯動作（Ｓ５４）の前に、表示装置２にモニタ画像を表示させる動作（Ｓ５２）を実施させる点が異なる。
【００９５】
さらに、撮影モードを終了するか否かを判断するステップＳ１５で、撮影を終了しないで戻る場合、メモリ１２から照明点灯時の照明状態を読み出し、撮影時に照明が点灯していたか否かを判断する（Ｓ３１）。撮影時に照明が点灯していた場合（Ｓ３１：ＹＥＳ）には、モニタ画像を再び表示させて（Ｓ６４）から、ステップＳ５４に戻って照明を点灯させ、撮影時に照明が点灯していなかった場合（Ｓ３１：ＮＯ）には、モニタ画像を再び表示させて（Ｓ６５）から、ステップＳ５に戻って照明を点灯させないで撮影モード終了を判断するステップＳ５に戻る点が異なる。
【００９６】
このように、本実施の形態では、撮像装置の撮影モードにおける照明点灯時の照明状態を記憶しておき、撮影モードを終了するか否かの判断で撮影を継続する場合には、記憶されていた照明状態に基づいて照明の必要性を判断し、さらに、ステップＳ１で撮影モードが選択された直後には、先にモニタ画像の表示を行ない、その表示内容を確認してから使用者が照明の必要性を判断できるので、上記した実施の形態３に記載した効果と、上記した実施の形態４に記載した効果の双方を同時に得ることができる。
【００９７】
実施の形態６．
図９は、本発明の実施の形態６のカメラ付き携帯電話装置の処理動作を示すフローチャートである。
【００９８】
なお、図９のカメラ付き携帯電話装置が、図１に示した実施の形態１のカメラ付き携帯電話装置１と構造上で異なる点は、図に示された範囲ではないが、メモリ１２のプログラム記憶部２２に記録されるプログラムの内容が異なる。
【００９９】
従って、実施の形態１のカメラ付き携帯電話装置１とは動作上で異なるが、最も動作が近いものは実施の形態４であるので、実施の形態４との相違点について、以下に示す。
【０１００】
（７）  上記した実施の形態４では、表示装置２にモニタ画像を表示させる動作（Ｓ４２）の後に、使用者により照明をオンさせるか否かの判断を実施させていた（Ｓ４３）。しかし、本実施の形態では、照明装置７を点灯させるか否かの判断を撮像装置６から入力する画像データの画像の平均輝度値を制御部１１で演算し、その演算値と予め設定されている所定値（照明が必要と判断する場合の境界値となる平均輝度値）とを比較（Ｓ７３）し、演算値が所定値よりも小さい場合（Ｓ７３：ＹＥＳ）には、自動的に照明を点灯させ（Ｓ４４）、演算値が所定値よりも小さくない場合には（Ｓ７３：ＮＯ）には、照明を点灯させないで撮影モード終了を判断するステップＳ５に進む点が異なる。
【０１０１】
その他の動作は、実施の形態４と同様である。
【０１０２】
このように、本実施の形態では、照明を点灯させるか否かの判断を、撮像装置６から入力する画像データの画像の平均輝度値により自動的にできるようにしたので、上記した実施の形態４の効果に加え、使用者の誤判断による不要な照明装置の点灯時間を無くして、適切な場合のみに照明を点灯するようにして、撮像装置の消費電力を低減させることができる。また、照明の点灯を自動的に行うため、使用者の操作性も向上させることができる。
【０１０３】
実施の形態７．
図１０は、本発明の実施の形態７のカメラ付き携帯電話装置の処理動作を示すフローチャートである。
【０１０４】
なお、図１０のカメラ付き携帯電話装置が、図１に示した実施の形態１のカメラ付き携帯電話装置１と構造上で異なる点は、実施の形態３および実施の形態５と同様に、上記（３）に記載した点であり、また、後述するように処理動作が異なるので、メモリ１２のプログラム記憶部２２に記録されるプログラムの内容が異なる。
【０１０５】
従って、実施の形態１のカメラ付き携帯電話装置１とは動作上で異なるが、最も動作が近いものは実施の形態６であるので、実施の形態６との相違点について、以下に示す。
【０１０６】
（８）実施の形態６に説明した照明を点灯させるか否かの判断を、撮像装置６から入力する画像データの画像の平均輝度値により自動的にできるようにした場合には、実施の形態４に説明した場合と同様に、点灯動作より先にモニタ画像を表示させている。この場合で、さらに実施の形態３に説明した撮影モードを終了するか否かの判断で撮影を継続させようとする場合には、実施の形態３と同様のステップに戻ると、戻った時にモニタ画像表示ができなくなってしまう。そこで、本実施の形態でも、実施の形態５と同様に、撮影モードを終了するか否かの判断で撮影を継続させる場合には、撮影時に照明画点灯されているか否かのステップＳ３１の結果にかかわらず、何れの判断後もモニタ画像を表示させるステップＳ６４およびＳ６５の処理動作を追加し、実施の形態３あるいは実施の形態５と同様に、記憶されていた照明状態に基づいて照明の必要性を判断できるようにした点。
【０１０７】
その他の動作は、実施の形態６と同様である。
【０１０８】
図１０の各ステップに基づいて相違点を説明すると、まず、実施の形態５と類似するように、撮像装置６から入力する画像データの画像の平均輝度値が予め設定されている所定値（照明が必要と判断する場合の境界値となる平均輝度値）未満であるか否かの判断（Ｓ８３）、および、点灯させる場合の点灯動作（Ｓ５４）の前に、表示装置２にモニタ画像を表示させる動作（Ｓ５２）を実施させる点が異なる。
【０１０９】
さらに、撮影モードを終了するか否かを判断するステップＳ１５で、撮影を終了しないで戻る場合、メモリ１２から照明点灯時の照明状態を読み出し、撮影時に照明が点灯していたか否かを判断する（Ｓ３１）。撮影時に照明が点灯していた場合（Ｓ３１：ＹＥＳ）には、モニタ画像を再び表示させて（Ｓ６４）から、ステップＳ５４に戻って照明を点灯させ、撮影時に照明が点灯していなかった場合（Ｓ３１：ＮＯ）には、モニタ画像を再び表示させて（Ｓ６５）から、ステップＳ５に戻って照明を点灯させないで撮影モード終了を判断するステップＳ５に戻る点が異なる。
【０１１０】
このように、本実施の形態では、撮像装置の撮影モードにおける照明点灯時の照明状態を記憶しておき、撮影モードを終了するか否かの判断で撮影を継続する場合には、記憶されていた照明状態に基づいて照明の必要性を判断し、さらに、ステップＳ１で撮影モードが選択された直後には、先にモニタ画像の表示を行ない、その表示内容を確認してから使用者が照明の必要性を判断できるので、上記した実施の形態５に記載した効果と、上記した実施の形態６に記載した効果の双方を同時に得ることができる。
【０１１１】
実施の形態８．
図１１と図１２は、本発明の実施の形態８のカメラ付き携帯電話装置の外観形状を示す斜視図である。また、図１３は、図１１の携帯電話装置１ｂあるいは図１２の携帯電話装置１ｃ一部の内部構成を示すブロック図である。
【０１１２】
図１１のカメラ付き携帯電話装置１ｂが、図１に示した実施の形態１のカメラ付き携帯電話装置１と構造上で異なる点は、図１２のカメラ付き携帯電話装置１ｃが、図５に示した実施の形態２のカメラ付き携帯電話装置１ａと構造上で異なる点と同じであり、以下の点である。
【０１１３】
（９）  被写体の照度を検出する照度センサ９を備え、メモリ１２には各プログラムに加えて照度センサ９の検出動作プログラムを備える点。
【０１１４】
（１０）  メモリ１２中に、図示していないが、照度センサ９の検出結果を記憶する部位を有する点。
【０１１５】
その他の構成では、図１に示した実施の形態１のカメラ付き携帯電話装置１と構造上で異なる点は図に示された範囲ではないが、メモリ１２のプログラム記憶部２２に記録される各プログラムの内容が異なる点が挙げられ、その他は実施の形態１と同様である。
【０１１６】
図１４は、本発明の実施の形態８のカメラ付き携帯電話装置の処理動作を示すフローチャートである。
【０１１７】
本実施の形態の処理動作が、実施の形態１のカメラ付き携帯電話装置１と動作上で異なる点は、以下の点である。
【０１１８】
（１１）  上記した実施の形態１では、使用者により照明をオンさせるか否かの判断を実施させ（Ｓ２）、操作釦５により照明をオンさせるか否かを選択させていた。しかし、本実施の形態では、照明装置７を点灯させるか否かの判断を、照度センサ９から入力する検出結果（照度値）を、制御部１１で、その検出結果と予め設定されている所定値（照明が必要と判断する場合の境界値となる照度値）とを比較（Ｓ９２）し、検出結果の照度値が所定値よりも小さい場合（Ｓ９２：ＹＥＳ）には、自動的に照明を点灯させ（Ｓ３）、検出結果が所定値よりも小さくない場合には（Ｓ９２：ＮＯ）には、照明を点灯させないでモニタ画像を表示させるステップＳ４に進む点が異なる点。
【０１１９】
その他の動作は、実施の形態１と同様である。
【０１２０】
このように、本実施の形態では、照明を点灯させるか否かの判断を、照度センサ９から入力する検出結果（照度値）により自動的にできるようにしたので、上記した実施の形態１の効果に加え、使用者の誤判断による不要な照明装置の点灯時間を無くして、適切な場合のみに照明を点灯するようにして、撮像装置の消費電力を低減させることができる。また、照明の点灯を自動的に行うため、使用者の操作性も向上させることができる。
【０１２１】
実施の形態９．
図１５は、本発明の実施の形態９のカメラ付き携帯電話装置の処理動作を示すフローチャートである。
【０１２２】
なお、図１５のカメラ付き携帯電話装置が、図１１〜１４に示した実施の形態８のカメラ付き携帯電話装置１ｂ、１ｃと構造上で異なる点は、図に示された範囲ではないが、メモリ１２のプログラム記憶部２２に記録されるプログラムの内容が異なる。
【０１２３】
従って、実施の形態８のカメラ付き携帯電話装置１ｂ、１ｃとは動作上で異なり、その相違点は、実施の形態４と類似する以下の点である。
【０１２４】
（１２）  上記した実施の形態８では、表示装置２にモニタ画像を表示させる動作（Ｓ４）のタイミングが、照度センサ９の検出結果（照度値）と予め設定されている所定値の照度値とを比較する判断（Ｓ９２）、および、点灯させる場合の点灯動作（Ｓ３）の後であったが、本実施の形態では、検出結果（照度値）と予め設定されている所定値の照度値とを比較する判断（Ｓ１０３）、および、点灯させる場合の点灯動作（Ｓ４４）の前に、表示装置２にモニタ画像を表示させる動作（Ｓ４２）を実施させる点。
【０１２５】
その他の動作は、実施の形態１と同様である。
【０１２６】
このように、本実施の形態では、ステップＳ１で撮影モードが選択された直後には、先にモニタ画像の表示を行ない、その表示内容を確認してから使用者が照明の必要性を判断できるので、使用者によるモニタ画像確認が実施されるまでの照明装置７の消費電力を低減でき、また、モニタ画像の照度が照明装置の点灯により明るくなるのみで表示されている内容は変わらないので、実施の形態８の効果に加えて、使用者によってモニタ画像が確認される時間も短縮させることができることから、モニタ画像確認中の照明装置７の消費電力についても低減させることができる。従って、不要な照明時間をさらに低減させることができ、さらなる消費電力の低減が可能になる。
【０１２７】
実施の形態１０．
図１６は、本発明の実施の形態１０のカメラ付き携帯電話装置の処理動作を示すフローチャートである。
【０１２８】
なお、図１６のカメラ付き携帯電話装置が、図１１〜１４に示した実施の形態８のカメラ付き携帯電話装置１ｂ、１ｃと構造上で異なる点は、実施の形態３と類似する次の点である。
【０１２９】
（１３）  メモリ１２中に、図示していないが、撮影モードにおける照明点灯時の照明状態を記憶する部位を有する点。
【０１３０】
その他の構成では、図１１〜１４に示した実施の形態８のカメラ付き携帯電話装置１ｂ、１ｃと構造上で異なる点は図に示された範囲ではないが、メモリ１２のプログラム記憶部２２に記録されるプログラムの内容が異なる点が挙げられ、その他は実施の形態８と同様である。
【０１３１】
また、実施の形態８のカメラ付き携帯電話装置１ｂ、１ｃと動作上で異なる点も、実施の形態３と類似する以下の点である。
【０１３２】
（１４）  撮影モードを終了するか否かを判断するステップＳ１５で、撮影を終了せずにステップＳ２に戻る場合、メモリ１２から照明点灯時の照明状態を読み出し、撮影時に照明が点灯していたか否かを判断する（Ｓ３１）。撮影時に照明が点灯していた場合（Ｓ３１：ＹＥＳ）には、ステップＳ３に戻って照明を点灯させ、撮影時に照明が点灯していなかった場合（Ｓ３１：ＮＯ）には、ステップＳ４に戻って照明を点灯させないでモニタ画面を表示させる点。
【０１３３】
その他の動作は、実施の形態８と同様である。
【０１３４】
このように、本実施の形態では、撮像装置の撮影モードにおける照明点灯時の照明状態を記憶しておき、撮影モードを終了するか否かの判断で撮影を継続する場合には、記憶されていた照明状態に基づいて照明の必要性を判断するので、実施の形態８の効果に加えて、不要な照明時間を無くすことができ、消費電力の低減が可能になり、撮影モード継続時には照明の点灯および非点灯を自動的に判断して実施するため、使用者の操作性をさらに向上させることができる。
【０１３５】
実施の形態１１．
図１７は、本発明の実施の形態１１のカメラ付き携帯電話装置の処理動作を示すフローチャートである。
【０１３６】
なお、図１７のカメラ付き携帯電話装置が、図１５に示した実施の形態９のカメラ付き携帯電話装置と構造上で異なる点は、図に示された範囲ではないが、メモリ１２のプログラム記憶部２２に記録されるプログラムの内容が異なる。
【０１３７】
従って、実施の形態９のカメラ付き携帯電話装置とは動作上で異なり、その相違点は、実施の形態７と類似する以下の点である。
【０１３８】
（１３）実施の形態８に説明した照明を点灯させるか否かの判断を、照度センサ９の検出結果（照度値）と予め設定されている所定値の照度値とを比較することにより自動的にできるようにし、実施の形態９に説明した場合と同様に、点灯動作より先にモニタ画像を表示させている場合で、さらに実施の形態３に説明した撮影モードを終了するか否かの判断で撮影を継続させようとする場合には、実施の形態３と同様のステップに戻ると、戻った時にモニタ画像表示ができなくなってしまう。そこで、本実施の形態でも、実施の形態５および実施の形態７と同様に、撮影モードを終了するか否かの判断で撮影を継続させる場合には、撮影時に照明画点灯されているか否かのステップＳ３１の結果にかかわらず、何れの判断後もモニタ画像を表示させるステップＳ６４およびＳ６５の処理動作を追加し、実施の形態３、実施の形態５あるいは実施の形態７と同様に、記憶されていた照明状態に基づいて照明の必要性を判断できるようにした点。
【０１３９】
その他の動作は、実施の形態９と同様である。
【０１４０】
図１７の各ステップに基づいて相違点を説明すると、まず、実施の形態９と類似するように、照度センサ９の検出結果（照度値）が予め設定されている所定値の照度値未満であるか否かの判断（Ｓ１２３）、および、点灯させる場合の点灯動作（Ｓ５４）の前に、表示装置２にモニタ画像を表示させる動作（Ｓ５２）を実施させている。
【０１４１】
さらに、撮影モードを終了するか否かを判断するステップＳ１５で、撮影を終了しないで戻る場合、メモリ１２から照明点灯時の照明状態を読み出し、撮影時に照明が点灯していたか否かを判断する（Ｓ３１）。撮影時に照明が点灯していた場合（Ｓ３１：ＹＥＳ）には、モニタ画像を再び表示させて（Ｓ６４）から、ステップＳ５４に戻って照明を点灯させ、撮影時に照明が点灯していなかった場合（Ｓ３１：ＮＯ）には、モニタ画像を再び表示させて（Ｓ６５）から、ステップＳ５に戻って照明を点灯させないで撮影モード終了を判断するステップＳ５に戻る点が異なる。
【０１４２】
このように、本実施の形態では、撮像装置の撮影モードにおける照明点灯時の照明状態を記憶しておき、撮影モードを終了するか否かの判断で撮影を継続する場合には、記憶されていた照明状態に基づいて照明の必要性を判断し、さらに、ステップＳ１で撮影モードが選択された直後には、先にモニタ画像の表示を行ない、その表示内容を確認してから使用者が照明の必要性を判断できるので、上記した実施の形態５に記載した効果と、上記した実施の形態６に記載した効果の双方を併せた実施の形態７の効果と、上記した実施の形態９の効果を同時に得ることができる。
【０１４３】
実施の形態１２．
図１８は、本発明の実施の形態１２のカメラ付き携帯電話装置の制御部１１が携帯電話装置の各部を制御するための指示信号を出力するタイミングを示すタイミングチャートである。
【０１４４】
なお、図１８のカメラ付き携帯電話装置が、図１に示した実施の形態１のカメラ付き携帯電話装置１と構造上で異なる点は、次の点である。
【０１４５】
（１４）  メモリ１２中に、図示していないが、撮影モードにおける照明点灯時の照明レベルの段階を記憶する部位を有する点。
【０１４６】
その他の構成では、図１に示した実施の形態１のカメラ付き携帯電話装置１と構造上で異なる点は図に示された範囲ではないが、メモリ１２のプログラム記憶部２２に記録されるプログラムの内容が異なる点が挙げられ、その他は実施の形態１と同様である。
【０１４７】
また、実施の形態１のカメラ付き携帯電話装置１と動作上で異なる点は、以下の点である。
【０１４８】
（１５）  照明装置７を点灯させるステップＳ３では、照明信号ｆ２のレベルが低いＡの状態で点灯させておき、撮影開始指示が入力されたことを判断するステップＳ６で入力が確認された場合（Ｓ６：ＹＥＳ）に、制御部１１により、照明装置７を照明信号ｆ２のレベルが高いＢの状態で照明装置を点灯させる点。
【０１４９】
（１６）  実施の形態８以降のように照度センサ９を有している場合には、制御部１１により、照度センサ９から出力される照度値に基づき、その照度値が予め設定された所定値よりも小さい場合（Ｓ９２）、照明装置７を点灯させるステップ（Ｓ３）では、当初は照明信号ｆ２のレベルが低いＡの状態で点灯させておき、再度照度値を検出して照度値が予め設定された所定値を超えるか否かを検出し、その後の操作釦５の入力（Ｓ６）により撮像装置６から出力される被写体の画像データをメモリ１２に一時記録するステップ（Ｓ７）では、制御部１１により、照度値が予め設定された所定値を超えていない場合に、照明装置７を照明信号ｆ２のレベルが高いＢの状態で照明装置を点灯させる点。
【０１５０】
その他の動作は、実施の形態１と同様である。
【０１５１】
このように、本実施の形態では、照明装置の点灯動作プログラムが照明装置を点灯させる照度を変更できる場合に、照明装置の点灯動作を開始する当初では、照明装置７を照明信号ｆ２のレベルが低いＡの状態で照明装置を点灯させておき、撮影開始の時点で、照明装置７を照明信号ｆ２のレベルが高いＢの状態で照明装置を点灯させるように制御するので、実施の形態１の効果に加えて、さらに点灯動作の開始後から、撮影開始までの消費電力を低減させることができる。従って、限られた電力を有効活用でき、撮影時には良好な画質を得ることができる。
【０１５２】
実施の形態１３．
図１９は、本発明の実施の形態１３のカメラ付き携帯電話装置の制御部１１が携帯電話装置の各部を制御するための指示信号を出力するタイミングを示すタイミングチャートである。
【０１５３】
なお、図１９のカメラ付き携帯電話装置が、図１８に示した実施の形態１２のカメラ付き携帯電話装置と構造上で異なる点は、以下の点である。
【０１５４】
（１７）  不図示の照明装置の点灯時間を計時する点灯タイマを備える点。
【０１５５】
その他は、図に示された範囲ではないが、メモリ１２のプログラム記憶部２２に記録されるプログラムの内容が異なる。
【０１５６】
従って、実施の形態１２のカメラ付き携帯電話装置とは動作上で異なり、その相違点は、以下の点である。
【０１５７】
（１８）  照明装置の点灯動作を開始する当初における照明装置７の照明信号ｆ２のレベルが低いＡの状態から、撮影開始の時点における照明装置７を照明信号ｆ２のレベルが高いＢの状態にする前に、少なくとも人間の検知可能な期間以上の期間を点灯タイマで計時し、その計時期間中だけ照明装置７を消灯するように制御する点。
【０１５８】
また、本実施の形態のカメラ付き携帯電話装置が、実施の形態１２に示した撮影モードにおける照明点灯時の照明レベルの段階において段階に余裕を有している場合には、消灯する代わりに人間が検知可能な範囲で減光するように制御しても良い。
【０１５９】
このように、本実施の形態では、撮影画像を記録する前に撮影される人が判別可能な期間だけ照明を消灯するので、実施の形態１の効果に加えて、特に撮影することを知らせる部品を別途に用意しなくとも、撮影される人に容易に撮影開始を認識させることができる。
【０１６０】
実施の形態１４．
図２０は、本発明の実施の形態１４のカメラ付き携帯電話装置の制御部１１が携帯電話装置の各部を制御するための指示信号を出力するタイミングを示すタイミングチャートである。
【０１６１】
なお、図２０のカメラ付き携帯電話装置が、図１９に示した実施の形態１３のカメラ付き携帯電話装置と構造上で異なる点は、図に示された範囲ではないが、メモリ１２のプログラム記憶部２２に記録されるプログラムの内容が異なる。
【０１６２】
その他は、図に示された範囲ではないが、メモリ１２のプログラム記憶部２２に記録されるプログラムの内容が異なる。
【０１６３】
従って、実施の形態１３のカメラ付き携帯電話装置とは動作上で異なり、その相違点は、以下の点である。
【０１６４】
（１９）  少なくとも人間の検知可能な期間以上の期間というパラメータのみを用いて点灯タイマで計時しようとすると、人間の検知能力にはバラツキがあるため、どうしてもタイマの設定時間は長めになってしまう。これに対して、照明装置７の照度を、画像一時記録期間ｄ４の開始前に一度下げる期間を、「撮像装置６の自動露出応答時間より短くする」という値が比較的明確な別パラメータで期間を設定する点。
【０１６５】
このように、本実施の形態では、撮影画像を記録する前に、撮像装置６の自動露出応答時間より短い期間で、撮影される人が判別可能な期間だけ照明を消灯するので、実施の形態１９よりも短い期間で、特に撮影することを知らせる部品を別途に用意しなくとも、撮影される人に容易に撮影開始を認識させることができる。
【０１６６】
実施の形態１５．
図２１は、本発明の実施の形態１５のカメラ付き携帯電話装置の制御部１１が携帯電話装置の各部を制御するための指示信号を出力するタイミングを示すタイミングチャートである。
【０１６７】
なお、図２１のカメラ付き携帯電話装置が、図１９に示した実施の形態１３のカメラ付き携帯電話装置と構造上で異なる点は、図に示された範囲ではないが、メモリ１２のプログラム記憶部２２に記録されるプログラムの内容が異なる。
その他は、図に示された範囲ではないが、メモリ１２のプログラム記憶部２２に記録されるプログラムの内容が異なる。
【０１６８】
従って、実施の形態１３のカメラ付き携帯電話装置とは動作上で異なり、その相違点は、以下の点である。
【０１６９】
（２０）  少なくとも人間の検知可能な期間以上の期間を点灯タイマで計時する際には、自動露光機能は必要なくなるので、その計時期間中は、撮像装置６の自動露光機能を停止（ＯＦＦ）させる点。
【０１７０】
このように、本実施の形態では、撮影画像を記録する前に、撮影される人が判別可能な期間だけ照明を消灯する間は、撮像装置６の自動露光機能をオフさせるので、実施の形態１３の効果に加えて、さらに電力消費量を低減させることができる。
【０１７１】
実施の形態１６．
図２２は、本発明の実施の形態１６のカメラ付き携帯電話装置の制御部１１が携帯電話装置の各部を制御するための指示信号を出力するタイミングを示すタイミングチャートである。
【０１７２】
なお、図２２のカメラ付き携帯電話装置が、図１９に示した実施の形態１３のカメラ付き携帯電話装置と構造上で異なる点は、図に示された範囲ではないが、メモリ１２のプログラム記憶部２２に記録されるプログラムの内容が異なる。
【０１７３】
その他は、図に示された範囲ではないが、メモリ１２のプログラム記憶部２２に記録されるプログラムの内容が異なる。
【０１７４】
従って、実施の形態１３のカメラ付き携帯電話装置とは動作上で異なり、その相違点は、以下の点である。
【０１７５】
（２１）  少なくとも人間の検知可能な期間以上の期間を点灯タイマで計時し、その計時期間中だけ照明装置７を消灯するように制御する期間が、撮影画像を記録する前ではなく、撮影画像の一時記録終了のステップＳ９から一時記録画像を表示装置７に表示させるステップＳ１２までの間に変更されている点。
【０１７６】
また、本実施の形態のカメラ付き携帯電話装置が、実施の形態１２に示した撮影モードにおける照明点灯時の照明レベルの段階において段階に余裕を有している場合には、実施の形態１３の場合と同様に、本実施の形態の場合でも消灯する代わりに人間が検知可能な範囲で減光するように制御しても良い。
【０１７７】
このように、本実施の形態では、撮影が終了して表示装置７に表示させる画像がモニタ画像から一時記録画像に切り替わる前に、撮影される人が判別可能な期間だけ照明を消灯するので、実施の形態１の効果に加えて、特に撮影することを知らせる部品を別途に用意しなくとも、撮影される人に容易に撮影終了を認識させることができる。また、本実施の形態は、例えば、照明装置７を、撮影装置６の自動露光機能が動作中は消灯させることができるので、自動露光機能に影響を与えないようにすることができる。なお、本実施の形態の効果は、特に、一瞬の内に撮影が完了する静止画を撮像する場合に有効である。
【０１７８】
実施の形態１７．
図２３は、本発明の実施の形態１７のカメラ付き携帯電話装置の制御部１１が携帯電話装置の各部を制御するための指示信号を出力するタイミングを示すタイミングチャートである。
【０１７９】
なお、図２３のカメラ付き携帯電話装置が、図１９に示した実施の形態１３のカメラ付き携帯電話装置と構造上で異なる点は、図に示された範囲ではないが、メモリ１２のプログラム記憶部２２に記録されるプログラムの内容が異なる。
【０１８０】
その他は、図に示された範囲ではないが、メモリ１２のプログラム記憶部２２に記録されるプログラムの内容が異なる。
【０１８１】
従って、実施の形態１３のカメラ付き携帯電話装置とは動作上で異なり、その相違点は、以下の点である。
【０１８２】
（２２）  少なくとも人間の検知可能な期間以上の期間を点灯タイマで計時し、その計時期間中だけ照明装置７を消灯するように制御する期間が、撮影画像を記録する前に加えて、撮影画像の一時記録終了のステップＳ９から一時記録画像を表示装置７に表示させるステップＳ１２までの間の２期間に変更されている点。
【０１８３】
すなわち、本発明の実施の形態１７では、実施の形態１３の動作と実施の形態１６の動作の両方を実施させるようにしたものである。また、実施の形態１３に代えて、実施の形態１４、あるいは、実施の形態１５と、実施の形態１６との両方を実施させるように制御を変更しても良い。
【０１８４】
また、本実施の形態のカメラ付き携帯電話装置が、実施の形態１２に示した撮影モードにおける照明点灯時の照明レベルの段階において段階に余裕を有している場合には、実施の形態１３、１６の場合と同様に、本実施の形態の場合でも消灯する代わりに人間が検知可能な範囲で減光するように制御しても良い。
【０１８５】
このように、本実施の形態では、撮影画像を記録する前と、撮影が終了した後に、撮影される人が判別可能な期間だけ照明を消灯するので、実施の形態１の効果に加えて、特に撮影することを知らせる部品を別途に用意しなくとも、撮影される人に容易に撮影の開始と終了の双方を認識させることができる。
【０１８６】
実施の形態１８．
図２４は、本発明の実施の形態１８のカメラ付き携帯電話装置の処理動作を示すフローチャートである。
【０１８７】
なお、図２４のカメラ付き携帯電話装置が、図１８に示した実施の形態１２のカメラ付き携帯電話装置と構造上で異なる点は、以下の点である。
【０１８８】
（２３）  不図示の撮影時間を計時する撮影時間タイマを備える点。
【０１８９】
その他は、図に示された範囲ではないが、メモリ１２のプログラム記憶部２２に記録されるプログラムの内容が異なる。
【０１９０】
従って、実施の形態１２のカメラ付き携帯電話装置とは動作上で異なり、その相違点は、以下の点である。
【０１９１】
（２４）  撮影が開始されるステップＳ６の後に、撮影時間タイマによる計時が開始され、制御部１１では、その計時値が予め設定された所定値Ｔを超えたか否かを監視する（Ｓ１３２）。計時値が予め設定された所定値Ｔを超えた場合（Ｓ１３２：ＮＯ）には、撮影画像の一時記録を終了する（Ｓ９）。計時値が予め設定された所定値Ｔを超えない場合（Ｓ１３２：ＹＥＳ）には、撮影終了指示が有ったか否かを確認し（Ｓ８）、無ければ（Ｓ８：ＮＯ）、撮影画像の一時記録Ｓ７を継続し、撮影終了指示が有れば（Ｓ８：ＹＥＳ）、撮影画像の一時記録を終了する（Ｓ９）する点。
【０１９２】
このように、本実施の形態では、撮影画像の記録をタイマ設定で制限し、タイマ設定時間以上は撮影できないようにして、撮影画像の一時記録が終了したら照明を消灯させるので、実施の形態１の効果に加えて、撮影時間タイマを使用する際にも照明の点灯時間による消費電力が低減するように制御することができるので、消費電力を低減させることができる。
【０１９３】
実施の形態１９．
図２５は、本発明の実施の形態１９のカメラ付き携帯電話装置の処理動作を示すフローチャートである。
【０１９４】
なお、図２５のカメラ付き携帯電話装置が、図２４に示した実施の形態１８のカメラ付き携帯電話装置と構造上で異なる点は、図に示された範囲ではないが、メモリ１２のプログラム記憶部２２に記録されるプログラムの内容が異なる。
【０１９５】
従って、実施の形態１２のカメラ付き携帯電話装置とは動作上で異なり、その相違点は、以下の点である。
【０１９６】
（２５）  撮影が開始されるステップＳ６の後に、撮影時間タイマによる計時が開始され、制御部１１では、その計時値が予め設定された所定値Ｔを超えたか否かを監視し（Ｓ１３２）する点は同じであるが、計時値が予め設定された所定値Ｔを超えた場合（Ｓ１３２：ＮＯ）には、ステップＳ１０で照明の確認をして点灯している場合（Ｓ１０：ＹＥＳ）には消灯して（Ｓ１１）から、撮影画像の一時記録を終了する（Ｓ１４９）。また、計時値が予め設定された所定値Ｔを超えない場合（Ｓ１３２：ＹＥＳ）には、撮影終了指示が有ったか否かを確認し（Ｓ８）、無ければ（Ｓ８：ＮＯ）、撮影画像の一時記録Ｓ７を継続し、撮影終了指示が有れば（Ｓ８：ＹＥＳ）、ステップＳ１０で照明の確認をして点灯している場合（Ｓ１０：ＹＥＳ）には消灯して（Ｓ１１）から、撮影画像の一時記録を終了する（Ｓ１４９）する点。
【０１９７】
このように、本実施の形態では、実施の形態１８と同様に、撮影画像の記録をタイマ設定で制限し、タイマ設定時間以上は撮影できないようにするが、撮影画像の一時記録が終了する前に、照明を消灯させるので、実施の形態１８よりもさらに照明の点灯時間による消費電力が低減するように制御でき、より消費電力を低減させることができる。
【０１９８】
【発明の効果】
本発明は、以上説明したように構成されているので、以下に示すような効果を奏する。
【０１９９】
請求項１、２および１６の本発明は、暗い場所でも問題なく被写体を連続撮影できるように常時点灯が可能であり、部品点数も少なく小型かつ薄型の発光ダイオードを利用した照明装置を備えた撮像機器を利用して撮影する際に、照明が必要なくなり次第、自動的に照明を消灯させることができるので、操作性が向上して撮影環境を改善でき、照明装置を用いる撮像機器に対して消費電力が少ない制御方法を提供することができる。
【０２００】
請求項３の本発明は、撮影モードが選択された直後には、先にモニタ画像の表示を行ない、その表示内容を確認してから使用者が照明の必要性を判断できるので、使用者によるモニタ画像確認が実施されるまでの照明装置の消費電力を低減でき、また、モニタ画像の照度が照明装置の点灯により明るくなるのみで表示されている内容は変わらないので、使用者によってモニタ画像が確認される時間も短縮させることができることから、モニタ画像確認中の照明装置の消費電力についても低減させることができ、不要な照明時間をさらに低減させることができ、さらなる消費電力の低減が可能になる。
【０２０１】
請求項４の本発明は、照明を点灯させるか否かの判断を、撮像装置から入力する画像データの画像の平均輝度値により自動的にできるようにしたので、使用者の誤判断による不要な照明装置の点灯時間を無くして、適切な場合のみに照明を点灯するようにして、撮像装置の消費電力を低減させることができる。また、照明の点灯を自動的に行うため、使用者の操作性も向上させることができる。
【０２０２】
請求項５の本発明は、照明を点灯させるか否かの判断を、照度センサから入力する検出結果（照度値）により自動的にできるようにしたので、使用者の誤判断による不要な照明装置の点灯時間を無くして、適切な場合のみに照明を点灯するようにして、撮像装置の消費電力を低減させることができる。また、照明の点灯を自動的に行うため、使用者の操作性も向上させることができる。
【０２０３】
請求項６および７の本発明は、照明装置の点灯動作プログラムが照明装置を点灯させる照度を変更できる場合に、照明装置の点灯動作を開始する当初では、照明装置を照明信号のレベルが低い状態で照明装置を点灯させておき、撮影開始の時点で、照明装置を照明信号のレベルが高い状態で照明装置を点灯させるように制御するので、点灯動作の開始後から、撮影開始までの消費電力を低減させることができ、限られた電力を有効活用でき、撮影時には良好な画質を得ることができる。
【０２０４】
請求項８および９の本発明は、撮影画像を記録する前に撮影される人が判別可能な期間だけ照明を消灯または減光するので、特に撮影することを知らせる部品を別途に用意しなくとも、撮影される人に容易に撮影開始を認識させることができる。
【０２０５】
請求項１０および１１の本発明は、撮影画像を記録する前に、撮影される人が判別可能な期間だけ照明を消灯または減光する間は、撮像装置の自動露光機能をオフさせるので、電力消費量を低減させることができる。
【０２０６】
請求項１２および１３の本発明は、撮影画像を記録する前に、撮像装置の自動露出応答時間より短い期間で、撮影される人が判別可能な期間だけ照明を消灯または減光するので、特に撮影することを知らせる部品を別途に用意しなくとも、撮影される人に容易に撮影開始を認識させることができる。
【０２０７】
請求項１４および１５の本発明は、撮影が終了して表示装置に表示させる画像がモニタ画像から一時記録画像に切り替わる前に、撮影される人が判別可能な期間だけ照明を消灯または減光するので、特に撮影することを知らせる部品を別途に用意しなくとも、撮影される人に容易に撮影終了を認識させることができる。また、照明装置を撮影装置の自動露光機能が動作中は消灯させることができるので、自動露光機能に影響を与えないようにすることができる。なお、本実施の形態の効果は、特に、一瞬の内に撮影が完了する静止画を撮像する場合に有効である。
【０２０８】
請求項１７の本発明は、撮像装置の撮影モードにおける照明点灯時の照明状態を記憶しておき、撮影モードを終了するか否かの判断で撮影を継続する場合には、記憶されていた照明状態に基づいて照明の必要性を判断するので、不要な照明時間を無くすことができ、消費電力の低減が可能になり、撮影モード継続時には照明の点灯および非点灯を自動的に判断して実施するため、使用者の操作性をさらに向上させることができる。
【０２０９】
請求項１８の本発明は、撮影画像の記録をタイマ設定で制限し、タイマ設定時間以上は撮影できないようにして、撮影画像の一時記録が終了したら照明を消灯させるので、撮影時間タイマを使用する際にも照明の点灯時間による消費電力が低減するように制御することができ、消費電力を低減させることができる。
【０２１０】
請求項１９の本発明は、撮影画像の記録をタイマ設定で制限し、タイマ設定時間以上は撮影できないようにするが、撮影画像の一時記録が終了する前に、照明を消灯させるので、照明の点灯時間による消費電力が低減するように制御でき、消費電力を低減させることができる。
【図面の簡単な説明】
【図１】  本発明の実施の形態１のカメラ付き携帯電話装置の外観形状を示す斜視図である。
【図２】  図１の携帯電話装置の一部の内部構成を示すブロック図である。
【図３】  図２の制御部が携帯電話装置の各部を制御するための指示信号を出力するタイミングを示すタイミングチャートである。
【図４】  図１〜３で示した携帯電話装置の処理動作を示すフローチャートである。
【図５】  本発明の実施の形態２のカメラ付き携帯電話装置の外観形状を示す斜視図である。
【図６】  本発明の実施の形態３のカメラ付き携帯電話装置の処理動作を示すフローチャートである。
【図７】  本発明の実施の形態４のカメラ付き携帯電話装置の処理動作を示すフローチャートである。
【図８】  本発明の実施の形態５のカメラ付き携帯電話装置の処理動作を示すフローチャートである。
【図９】  本発明の実施の形態６のカメラ付き携帯電話装置の処理動作を示すフローチャートである。
【図１０】  本発明の実施の形態７のカメラ付き携帯電話装置の処理動作を示すフローチャートである。
【図１１】  本発明の実施の形態８のカメラ付き携帯電話装置の外観形状を示す斜視図である。
【図１２】  本発明の実施の形態８のカメラ付き携帯電話装置の外観形状を示す斜視図である。
【図１３】  図１１の携帯電話装置あるいは図１２の携帯電話装置一部の内部構成を示すブロック図である。
【図１４】  本発明の実施の形態８のカメラ付き携帯電話装置の処理動作を示すフローチャートである。
【図１５】  本発明の実施の形態９のカメラ付き携帯電話装置の処理動作を示すフローチャートである。
【図１６】  本発明の実施の形態１０のカメラ付き携帯電話装置の処理動作を示すフローチャートである。
【図１７】  本発明の実施の形態１１のカメラ付き携帯電話装置の処理動作を示すフローチャートである。
【図１８】  本発明の実施の形態１２のカメラ付き携帯電話装置の制御部が携帯電話装置の各部を制御するための指示信号を出力するタイミングを示すタイミングチャートである。
【図１９】  本発明の実施の形態１３のカメラ付き携帯電話装置の制御部が携帯電話装置の各部を制御するための指示信号を出力するタイミングを示すタイミングチャートである。
【図２０】  本発明の実施の形態１４のカメラ付き携帯電話装置の制御部が携帯電話装置の各部を制御するための指示信号を出力するタイミングを示すタイミングチャートである。
【図２１】  本発明の実施の形態１５のカメラ付き携帯電話装置の制御部が携帯電話装置の各部を制御するための指示信号を出力するタイミングを示すタイミングチャートである。
【図２２】  本発明の実施の形態１６のカメラ付き携帯電話装置の制御部が携帯電話装置の各部を制御するための指示信号を出力するタイミングを示すタイミングチャートである。
【図２３】  本発明の実施の形態１７のカメラ付き携帯電話装置の制御部が携帯電話装置の各部を制御するための指示信号を出力するタイミングを示すタイミングチャートである。
【図２４】  本発明の実施の形態１８のカメラ付き携帯電話装置の処理動作を示すフローチャートである。
【図２５】  本発明の実施の形態１９のカメラ付き携帯電話装置の処理動作を示すフローチャートである。
【図２６】  従来の照明装置としてストロボ装置を携帯機本体に設けたカメラ付き携帯電話装置の一部の展開図である。
【符号の説明】
１、１ａ〜１ｃ  携帯電話装置、  ２  表示装置、  ３  スピーカ、  ４  マイク、  ５  操作釦、  ６  撮像装置、  ７  照明装置、  ８  鏡、  ９  照度センサ、  １１  制御部、  １２  メモリ、  ２１  ＣＰＵ、  ２２  プログラム記憶部、  ２３  一時記憶部、  ２４  不揮発性記憶部。
【図１】
0003748069.tif 000002
【図２】
0003748069.tif 000003
【図３】
0003748069.tif 000004
【図４】
0003748069.tif 000005
【図５】
0003748069.tif 000006
【図６】
0003748069.tif 000007
【図７】
0003748069.tif 000008
【図８】
0003748069.tif 000009
【図９】
0003748069.tif 000010
【図１０】
0003748069.tif 000011
【図１１】
0003748069.tif 000012
【図１２】
0003748069.tif 000013
【図１３】
0003748069.tif 000014
【図１４】
0003748069.tif 000015
【図１５】
0003748069.tif 000016
【図１６】
0003748069.tif 000017
【図１７】
0003748069.tif 000018
【図１８】
0003748069.tif 000019
【図１９】
0003748069.tif 000020
【図２０】
0003748069.tif 000021
【図２１】
0003748069.tif 000022
【図２２】
0003748069.tif 000023
【図２３】
0003748069.tif 000024
【図２４】
0003748069.tif 000025
【図２５】
0003748069.tif 000026
【図２６】
0003748069.tif 000027